(57)【要約】【課題】キャップ部３及びセンサ部２からなる回転センサ１において、軸受けユニット内における「気密の保持」に関して、信頼性を向上させることを目的とする。【解決手段】内部にＦｅ等の磁性体からなる回転体４を備える自動車等の軸受けユニットに被せられ、前記回転体４を臨むことができる前記軸受けユニットの開口部を少なくとも一部塞ぐことが可能なキャップ部３と、前記回転体４の回転による磁気の変化から前記回転体４の回転を検出するセンサ部２と、からなる回転センサ１において、前記キャップ部３は、非磁性の金属又は樹脂で形成し、前記キャップ部３を間に介在させた状態で、前記センサ部２による前記回転体４の回転の検出を行うこと、を特徴する回転センサ１である。【選択図】図１
2010025763.tif 000002
【特許請求の範囲】
【請求項１】
内部にＦｅ等の磁性体からなる回転体を備える自動車等の軸受けユニットに被せられ、前記回転体を臨むことができる前記軸受けユニットの開口部を少なくとも一部塞ぐことが可能なキャップ部と、
前記回転体の回転による磁気の変化から前記回転体の回転を検出するセンサ部と、
からなる回転センサにおいて、
前記キャップ部は、非磁性の金属又は樹脂で形成し、
前記キャップ部を間に介在させた状態で、前記センサ部による前記回転体の回転の検出を行うこと、
を特徴とする回転センサ。
【請求項２】
前記キャップ部は、非磁性のＳＵＳにカチオン塗料を塗布したこと、
を特徴とする請求項１記載の回転センサ。
【請求項３】
前記キャップ部の所定位置に、前記センサ部の位置決め用の位置決め部材を設けたこと、
を特徴とする請求項１又は請求項２記載の回転センサ。
【発明の詳細な説明】
【技術分野】
【０００１】
本発明は、回転体の回転による磁気の変化から回転体の回転を検出する回転センサに関する。
【背景技術】
【０００２】
従来、自動車で採用されているアンチロックブレーキシステムのＡＢＳセンサ（回転センサ）は、軸受けユニットに被せられるキャップ部と、磁気センサ等のセンサ部とからなり、該キャップ部には軸受けユニット内の回転エンコーダ（回転体）を臨むことができる位置に開口部を形成し、該開口部にセンサ部を挿入することで構成されている（特許文献１参照）。
【０００３】
上述したＡＢＳセンサにおいて、重要な検討項目の１つに、軸受けユニット内の「気密の保持」という項目があり、それを解決するために、従来では、特許文献１にあるように、センサ部とキャップ部との間に、Ｏリングを介在させることにより、軸受けユニット内の気密を保持している。
【特許文献１】特表２００６−３０８１０３号公報
【発明の開示】
【発明が解決しようとする課題】
【０００４】
しかし、上述のようなＯリングを使用することによる「気密の保持」には、例えば、センサ部の故障等、センサ部のみを取り外した際に、軸受けユニット内の気密が保持できなくなる。できれば、こうした状況においても、軸受けユニット内の気密を保ちたい。
【０００５】
また、センサ部をキャップ部に取り付ける際、Ｏリングがずれる場合があり、気密が保持できていない場合があった。
【０００６】
そこで、本発明は、上述した事情に鑑み為されたもので、キャップ部及びセンサ部からなる回転センサにおいて、軸受けユニット内における「気密の保持」に関して、信頼性を向上させることを目的とする。
【課題を解決するための手段】
【０００７】
上記した目的を達成するために、請求項１に係る発明においては、
内部にＦｅ等の磁性体からなる回転体を備える自動車等の軸受けユニットに被せられ、前記回転体を臨むことができる前記軸受けユニットの開口部を少なくとも一部塞ぐことが可能なキャップ部と、
前記回転体の回転による磁気の変化から前記回転体の回転を検出するセンサ部と、
からなる回転センサにおいて、
前記キャップ部は、非磁性の金属又は樹脂で形成し、
前記キャップ部を間に介在させた状態で、前記センサ部による前記回転体の回転の検出を行うこと、
を特徴とする回転センサである。
【０００８】
請求項２に係る発明においては、
前記キャップ部は、非磁性のＳＵＳにカチオン塗料を塗布したこと、
を特徴とする請求項１記載の回転センサである。
【０００９】
請求項３に係る発明においては、
前記キャップ部の所定位置に、前記センサ部の位置決め用の位置決め部材を設けたこと、
を特徴とする請求項１又は請求項２記載の回転センサである。
【発明の効果】
【００１０】
本発明によれば、キャップ部及びセンサ部からなる回転センサにおいて、軸受けユニット内における「気密の保持」に関して、信頼性を向上させることができる。
【発明を実施するための最良の形態】
【００１１】
[第１実施例]
以下に、本願発明に係る回転センサの第１実施例を図１及び図２に基づき説明する。
第１実施例に係る回転センサ１は、内部にＦｅ等の磁性体からなる回転体４（回転エンコーダ）を備える自動車等の軸受けユニット（図示しない）に被せられ、回転体４を臨むことができる軸受けユニットの開口部（図示しない）を少なくとも一部塞ぐことが可能なキャップ部３と、回転体４の回転による磁気の変化から回転体４の回転を検出するセンサ部２と、からなる。
【００１２】
キャップ部３は、非磁性の金属（例えば、ＳＵＳ３０４等）又は非磁性の樹脂で形成されており、そして、表裏面にほぼ全範囲にわたって、非常に優れた「防食性」塗料であるカチオン塗料が塗布されている。
【００１３】
更に、キャップ部３は、軸受けユニットに、回転体４を塞ぐ様に被せられるが、軸受けユニットに圧入されることにより装着される。この圧入によりカチオン塗料を介在された形でキャップ部３が軸受けユニットに装着されるので、非常に優れた気密性を実現することができる。
【００１４】
上述のように装着されたキャップ部３の外表面に、図２に示すように、センサ部２がキャップ部３の所定位置に当接するように設けられる。つまり、キャップ部３を間に介在させた状態で、センサ部２による回転体４の回転の検出を行っている。
【００１５】
このように構成することで、たとえ、センサ部２が故障し取り外しても、軸受けユニット内の気密は保持された状態となる。また、従来のように「Ｏリング」を使用して気密を保持しているわけではないので、「Ｏリング」がずれる等の心配は一切無い。これにより、軸受けユニット内における「気密の保持」に対して、信頼性を向上させることができる。
【００１６】
なお、センサ部２が当接する「キャップ部３の所定位置」とは、回転体が検出できる位置のことを示す。
また、センサ部２は、磁気センサであり、永久磁石と、ホールＩＣなどの磁気ＩＣとを組み合わせたものである。磁気ＩＣには、磁気の変化に応じて電圧などの電気量が変化するホール素子をはじめとする磁気感応素子と、その磁気感応素子からの電気量を電気信号として出力する電子回路とが内蔵されている。
【００１７】
しかして、センサ部２の取付に関して、キャップ部３には取付部は無いが、例えば、別部材の取付孔に挿入させる等で取付が行われている。こうした取付においても、センサ部２が挿入された取付孔に、気密性を目的とした「Ｏリング」等は、基本的には必要は無い。
【００１８】
また、キャップ部３に関して、第１実施例に係る回転センサ１では、回転体４を臨むことができる軸受けユニットの開口部（図示しない）を少なくとも一部塞ぐことが可能としたが、これは、完全に塞いでも良いし、一部を塞ぐ格好でも良い。ただ、一部を塞ぐ場合は、キャップ部３だけで、軸受けユニットの気密を実現することができないので、別の構成が必要になることは言うまでもない。
【００１９】
[第２実施例]
以下に、本願発明に係る回転センサの第２実施例を図３及び図４に基づき説明する。
第２実施例に係る回転センサ１は、基本的には、第１実施例と同じである。ここでは、変更点を説明する。
【００２０】
第２実施例に係る回転センサ１のキャップ部３の所定位置に、センサ部２の位置決め用の位置決め部材であるセンサ保持部７が設けられている。断面視では、図４に示すように、略Ｌ字状で形成されており、ちょうど、センサ部２のセンシング側の端部が嵌合している。
【００２１】
なお、センサ部２のリブは、センサ部２をセンサ保持部７に挿入した際、センサ保持部７を内面から押圧し、センサ部２とセンサ保持部７との嵌合状態を維持する役割を為している。
【００２２】
[第３実施例]
以下に、本願発明に係る回転センサの第３実施例を図５及び図６に基づき説明する。
第３実施例に係る回転センサ１は、基本的には、第１実施例と同じである。ここでは、変更点を説明する。
【００２３】
第３実施例に係る回転センサ１にも、第２実施例に係る回転センサ１と同様、キャップ部３の所定位置に、センサ部２の位置決め用の位置決め部材である一対のガイド片８が設けられている。第３実施例に係る回転センサ１では、第２実施例に係る回転センサ１と相違して、センサ部２を位置決め部材に挿入しただけでは、完全にはセンサ部２の位置は決まらない。
【００２４】
最終的な位置の決定は、センサ部２を一対のガイド片８の間に挿入し、センサ部２のセンシング側の端部側から突出するように設けられた取付片５の端部に形成された取付孔に、ボルト６（ビス等でも良い）を挿入し、このボルト６でキャップ部３に取り付けることで、図５に示すように、位置が決定される。
【図面の簡単な説明】
【００２５】
【図１】本願発明に係る第１実施例を示す回転センサの概略平面図。
【図２】本願発明に係る第１実施例を示す回転センサのＡ―Ａ断面図。
【図３】本願発明に係る第２実施例を示す回転センサの概略平面図。
【図４】本願発明に係る第２実施例を示す回転センサのＢ―Ｂ断面図。
【図５】本願発明に係る第３実施例を示す回転センサの概略平面図。
【図６】本願発明に係る第３実施例を示す回転センサのＣ―Ｃ断面図。
【符号の説明】
【００２６】
１  ・・・  回転センサ
２  ・・・  センサ部
３  ・・・  キャップ部
４  ・・・  回転体
５  ・・・  取付片
６  ・・・  ボルト
７  ・・・  センサ保持部（位置決め部材）
８  ・・・  ガイド片（位置決め部材）
【図１】
2010025763.tif 000003
【図２】
2010025763.tif 000004
【図３】
2010025763.tif 000005
【図４】
2010025763.tif 000006
【図５】
2010025763.tif 000007
【図６】
2010025763.tif 000008